(57)【要約】【課題】世界一の高齢化社会を迎えた我が国において、人々の健康づくりと高齢者の生甲斐づくりは、大きな国民的課題といえる。一方、全国で、無秩序に乱開発されたゴルフ場の経営も、最近の相次ぐ倒産、閉鎖等で、社会問題となっており、何らかの経営打開策が急務である。【解決手段】人々の健康づくり、生甲斐づくりを実現する場所として、ゴルフ場施設を最適且つ効果的な施設と設定し、様々な具体的企画を実施する事により、人々の健康づくりと生甲斐づくりをめざすと共に、企画実施を導入した新しいゴルフ場運営への転用を図る事で、ゴルフ場運営事業の経営再建と発展をめざす。【特許請求の範囲】
【請求項１】
ゴルフ場施設の構成要素を成すプレーコースを、人々の健康づくり・生甲斐づくりの場として、ゴルフプレーヤー及びそれ以外の人々も使用出来るゴルフ場。
【請求項２】
請求項１に記載のゴルフ場施設の構成要素を成すクラブハウスを、人々の健康づくり・生甲斐づくりの場として、ゴルフプレーヤー及びそれ以外の人々も、使用出来るゴルフ場。
【請求項３】
請求項１乃至２に記載のゴルフ場構成要素を成す宿泊施設を、ゴルフプレーヤー及びそれ以外の人々も宿泊に使用出来るゴルフ場。
【請求項４】
請求項１乃至３に記載のゴルフ場が所有する一部の土地を改造して作られた、畑・園芸・陶芸・工芸・それ以外の施設を、人々の健康づくり・生甲斐づくりの為にゴルフプレーヤー及びそれ以外の人々も使用出来るゴルフ場。
【請求項５】
請求項１乃至４に記載のゴルフ場が、健康づくり・生甲斐づくりの為に、人々が施設利用を希望する場合の受入方法。
【発明の詳細な説明】
【技術分野】
【０００１】本発明は、人々の健康・生甲斐づくりに関し、特に現状のゴルフ場施設を有効利用して実現させると共に、この為にゴルフ場運営を転用する事にある。
又、本発明は、転用したゴルフ場施設を人々が利用する際の受入方法に関する。
【背景技術】
【０００２】現在、高齢者の為の介護問題・中高年者の生活習慣病対策・若少年層を取り巻く生活全般の不健康状況等を打破すべく、２１世紀の国民健康づくり政策として、健康日本２１がスタートし、様々な具体的問題解決策の実行が奨励されている。又、世界一の長寿・高齢化社会に突入したわが国においては、定年後の中高年が元気で自立して生活する為の生甲斐づくりも、取り組むべき重要な課題である。【０００３】一方、バブル期をピークに、国内全域で乱開発により造成建設されたゴルフ場が、プレーヤー会員中心の現状のゴルフ場運営では経営が成り立たず、ここ数年で、数多くの施設が、倒産もしくは閉鎖されている。
【発明の開示】
【発明が解決しようとする課題】
【０００４】解決しようとする問題は、人々の健康づくり・生甲斐づくりを実現しようと考えた時、健康づくりにおいては、、身体に最良の環境で、楽しく且つ継続性・効果性安全性が高く、更には人々の自発的な興味からの参加による、身体活動を実施できる魅力的な施設が、多く存在しない事である。【０００５】生甲斐づくりに関して解決しようとする問題は、趣味・交流を含む様々な分野の生甲斐づくりにおいては、それぞれ目的別での個別活動を展開しており、それらの幾つかを組み合わせたり、更には入門・体験の機会も含め、トータルでの活動展開を実現できる施設が、存在しない事である。【０００６】解決しようとするゴルフ場運営に関しての問題は、上述した乱開発の影響や、バブル期以降の社会を取り巻く不況の影響、それらに関連したゴルフ会員権の暴落、接待ゴルフの激減、更にはリストラ等働く環境への不安や悪化等から、ゴルフ場利用者が激減、その打開策として、プレーフィーの値下げを行う等の結果、更に深刻な経営悪化を招いている事である。【０００７】プレーの関係上、１日最高２００人から３００人程度の利用しか出来ない施設でありながら、どのゴルフ場も最低１８ホールから多いところで３６ホールのプレーコースを有し、１８ホールのコースで、６０００ヤードから７０００ヤードの距離で、自然を生かした最良の造園が施されている。更にカート道・庭園・休憩所・避雷小屋・貯水池、更にクラブハウス・駐車場・宿泊施設・遊休地等も含め、優に３０万坪を超す贅沢かつ自然環境が整った最高の施設であると言う事である。【０００８】上述した問題点の中でクラブハウスにいたっては、リゾート地の豪華なホテルに引けを取らない施設でありながら、プレー開始前の受付手続き、着替え、レストランでの昼食、プレー後の入浴利用、コンペ終了後に成績発表等にわずかに使用するミーティングルーム等を、全ての利用者が約８時間程度の施設利用中、コースプレーの５時間強の時間を除いての、２時間から多くて２時間３０分程度しか、利用しない事である。【０００９】
【０００７】の問題点の中で、最高に贅沢かつ自然環境が整った広大な施設でありながら、現状ゴルフ場は、ゴルフプレーヤーのみの利用施設の為、１８ホールの場合、最大でも１日２００人から３００人位しか利用しない事である。
【課題を解決するための手段】
【００１０】本発明は、上述の様々な課題から成されたもので、人々の健康づくり及び生甲斐づくりの場としてゴルフ場は、様々な要素と可能性を保有しており、又、ゴルフ場は、こうした様々な要素と可能性を、ゴルフプレーヤー以外の人々にも提供する、運営の転用で、経営の安定を図る事が可能となる。
本発明の目的は、双方にとって有益な有効活用を、達成させることにある。【００１１】本発明の上記目的は、プレーコースを、ゴルフ以外のウオーキング、健康体操、太極拳等の身体運動実践の場、又は楽器演奏、演劇上演、コンサート、結婚式等の場として利用する事により効果的に達成される。【００１２】本発明の上記目的は、クラブハウス内の各ゾーンを、ゴルフプレーヤー以外の人々にも、趣味実現の場としての教室開催、交流目的のレストランでの食事会、ストレス解消リフレッシュの為の入浴施設利用等に、有効利用してもらう事により、効果的に達成される。【００１３】本発明の上記目的は、ゴルフ場の所有する宿泊施設をゴルフプレーヤー以外の人々にも、別荘代わり、保養所代わりの宿泊に利用してもらう事により、効果的に達成される。【００１４】本発明の上記目的は、ゴルフ場の所有する一部の土地を改造して造られた、畑園芸・陶芸・工芸・それ以外の施設をゴルフプレーヤー以外の人々にも、趣味や生甲斐づくりの一環として利用してもらう事により、効果的に達成される。【００１５】本発明の上記目的は、多くの人々が楽しく、継続的に参加し、趣味の発見や広がり、新しい交流の機会、健康的な体力づくり等を、計画的且つ効果的な企画の実行として受け入れる事により、効果的に達成される。【００１６】本発明の上記目的は、個人で、こうした主旨に賛同する人々を対象に会員組織を構成して受け入れる事で、ゴルフ場への帰属意識や、ゆるやかな連帯意識を持ちクラブの質の維持向上が図れる事から、効果的に達成される。
【発明の効果】
【００１７】本発明の効果として、健康の為の様々な運動を、豊かで、空気のきれいな、最高の環境で、しかも楽しく効果的に実施出来る事により、病気知らずの人々が健康で暮らす事により、医療費の削減への貢献が期待出来る。
又、高齢者における生甲斐中心の自立した生活への、大きな支援策となり得る。【００１８】本発明の効果として、新しい様々な利用を導入する、運営の転用を図る事により、多くの可能性を秘めた魅力的且つ有益な施設に変貌する事から、今までは深刻であった、ゴルフ場経営からの脱却と、経営の安定が計れる事である。
【実施例１】
【００１９】本発明の実施例１は、ゴルフ場１８ホールを利用しての、本格的ウオーキングは、従来、市中で実施しているウオーキングとは一線を画した、安全性が高く、本格的で、更に豊かな自然環境での、楽しく且つ効果的な体力及び筋力づくりの実施例である。
【実施例２】
【００２０】本発明の実施例２は、クラブハウスのミーティングルームを利用しての、絵画や歴史探訪教室で、ゴルフプレー以外の人達が趣味の教室に参加し、レストランの昼食で交流を深め、ゆっくり入浴して帰っていく。
まさに、豊かで充実した、生甲斐づくりを支援する実施例である。
【産業上の利用可能性】
【００２１】本発明の産業上における利用の可能性は、低迷するゴルフ場事業の再生と活性化に、多いに利用が可能である。【００２２】本発明の産業上における利用の可能性は、市町村等が、住民の為に建設を計画している健康増進施設の要素を多く兼ね備えており、ゴルフ場施設を有効活用する事により、市町村財源の節減と抑制に、多いに利用が可能である。【００２３】本発明の産業上における利用の可能性は、企業及び健康保険組合における中高年者及び定年退職者対策として、前者においては、医療費削減を目的とした効果的な生活習慣病の改善並びに予防策として、又後者においては、定年後の健康づくり並びに生甲斐づくりを見つけ出す、様々な機会を提供する場所として、多いに利用が可能である。